(57)【要約】  本発明は、アクセスおよびモビリティ管理機能（ＡＭＦ）に適用される、ＵＥとネットワーク状態の間の非マッチングを処理するための方法および装置を開示する。前記方法は、前記ＵＥによって送信された非アクセス層メッセージまたは無線アクセスネットワーク（ＲＡＮ）ノードによって送信されたＮ２インターフェースメッセージを受信するとき、前記ＵＥがネットワーク側で接続状態にあると判断するステップと、前記ＵＥにサービスを提供するＲＡＮノードが変更されたと決定し、元のＲＡＮノードにＵＥのコンテキストと既存のユーザープレーン接続をリリースするよう通知するステップとを備える。このようにして、従来技術におけるエアインターフェースリソース浪費およびパケット損失の技術的問題を解決し、ページングオーバーヘッドおよびパケット損失を低減する。
2020530731.tif 000002
【特許請求の範囲】
【請求項１】
前記ＵＥによって送信された非アクセス層メッセージまたは無線アクセスネットワークＲＡＮノードによって送信されたＮ２インターフェースメッセージを受信する場合、前記ＵＥがネットワーク側で接続状態にあると決定するステップと、
前記ＵＥにサービスを提供するＲＡＮノードが変更されたと決定し、元のＲＡＮノードにＵＥのコンテキストと既存のユーザープレーン接続をリリースするよう通知するステップとを備えることを特徴とするアクセスおよびモビリティ管理機能（ＡＭＦ）に適用される、ユーザー機器（ＵＥ）とネットワーク状態の間の非マッチングを処理するための方法。
【請求項２】
前記ＵＥによって送信された非アクセス層メッセージを受信する場合は、
アイドル状態で前記ＵＥによって送信された初期非アクセス層メッセージを受信し、前記アイドル状態は、前記ＵＥが無線リソース制御（ＲＲＣ）非アクティブ状態からＲＲＣアイドル状態に入った後に、非アクセス層によって入った接続管理アイドル状態であることを特徴とする請求項１に記載のアクセスおよびモビリティ管理機能（ＡＭＦ）に適用されるユーザー機器（ＵＥ）とネットワーク状態の間の非マッチングを処理するための方法。
【請求項３】
前記アイドル状態で前記ＵＥによって送信された初期非アクセス層メッセージを受信する場合、
前記アイドル状態の前記ＵＥによって送信された登録更新要求メッセージを受信し、または、
前記ＵＥが前記アイドル状態でアップリンクデータを送信するときに、前記ＵＥの要求メッセージを受信することを特徴とする請求項２に記載のアクセスおよびモビリティ管理機能（ＡＭＦ）に適用される、ユーザー機器（ＵＥ）とネットワーク状態の間の非マッチングを処理するための方法。
【請求項４】
前記ＵＥがネットワーク側で接続状態にあると決定する場合、
保存された前記ＵＥの前記コンテキストに従って、前記ＵＥがネットワーク側で接続状態にあると決定することを特徴とする請求項１に記載のアクセスおよびモビリティ管理機能（ＡＭＦ）に適用される、ユーザー機器（ＵＥ）とネットワーク状態の間の非マッチングを処理するための方法。
【請求項５】
前記元のＲＡＮノードに前記ＵＥのコンテキストおよびユーザプレーン接続をリリースするよう通知する場合、
元のＲＡＮノードに前記ＵＥのコンテキストをリリースするよう通知し、
コアネットワークへのユーザープレーン接続を削除することを特徴とする請求項１に記載のアクセスおよびモビリティ管理機能（ＡＭＦ）に適用される、ユーザー機器（ＵＥ）とネットワーク状態の間の非マッチングを処理するための方法。
【請求項６】
元のＲＡＮノードがＲＡＮレベルのページングを停止するように、元のＲＡＮノードに前記ＵＥのコンテキストをリリースするよう通知することを特徴とする請求項５に記載のアクセスおよびモビリティ管理機能（ＡＭＦ）に適用される、ユーザー機器（ＵＥ）とネットワーク状態の間の非マッチングを処理するための方法。
【請求項７】
前記ＵＥにサービスを提供するＲＡＮノードが変更されたと決定することは、
前記非アクセス層メッセージを転送するＲＡＮノードまたはＮ２インターフェースメッセージを送信するＲＡＮノードが前記ＵＥコンテキストに保存されたＲＡＮノードと異なると判断した場合、前記ＵＥにサービスを提供するＲＡＮノードが変更されたと決定することを含むことを特徴とする請求項１に記載のアクセスおよびモビリティ管理機能（ＡＭＦ）に適用される、ユーザー機器（ＵＥ）とネットワーク状態の間の非マッチングを処理するための方法。
【請求項８】
前記ＵＥにサービスを提供するＲＡＮノードが変更されたと決定し、前記ＵＥのコンテキストおよびユーザープレーン接続をリリースするよう元のＲＡＮノードに通知する場合、
セッション管理機能（ＳＭＦ）がプロトコールデータユニットセッション（ＰＤＵ ｓｅｓｓｉｏｎ）を非アクティブ化するよう要求し、前記要求は、前記ＳＭＦが前記ＰＤＵセッションのユーザープレーン構成を削除するように、前記ＳＭＦに非アクティブユーザープレーン接続を非アクティブ化するよう要求するために使用されることを特徴とする請求項１に記載のアクセスおよびモビリティ管理機能（ＡＭＦ）に適用される、ユーザー機器（ＵＥ）とネットワーク状態の間の非マッチングを処理するための方法。
【請求項９】
前記ＵＥによって送信された非アクセス層メッセージまたは無線アクセスネットワークＲＡＮノードによって送信されたＮ２インターフェースメッセージを受信した後、
前記ＵＥが許可されていないエリアまたは禁止されたエリアに入ると決定し、前記ＵＥに規制優先サービスのみが到達可能であることを、前記ユーザープレーン接続が属するプロトコールデータユニットセッション（ＰＤＵ ｓｅｓｓｉｏｎ）にサービスを提供する要求セッション管理機能（ＳＭＦ）に通知することを特徴とする請求項１に記載のアクセスおよびモビリティ管理機能（ＡＭＦ）に適用される、ユーザー機器（ＵＥ）とネットワーク状態の間の非マッチングを処理するための方法。
【請求項１０】
前記ＵＥのサービス要求メッセージが受信された場合、
前記サービス要求メッセージで指定されたプロトコールデータユニットセッション（ＰＤＵ ｓｅｓｓｉｏｎ）に従って、セッション管理機能（ＳＭＦ）に前記ＰＤＵセッションの非アクティブ化を要求し、前記ＰＤＵセッションを再アクティブ化することを特徴とする請求項３に記載のアクセスおよびモビリティ管理機能（ＡＭＦ）に適用される、ユーザー機器（ＵＥ）とネットワーク状態の間の非マッチングを処理するための方法。
【請求項１１】
前記ＵＥによって送信された非アクセス層メッセージまたは無線アクセスネットワークＲＡＮノードによって送信されたＮ２インターフェースメッセージを受信する場合、前記ＵＥがネットワーク側で接続状態にあると決定するように構成された第１の決定モジュールと、
前記ＵＥにサービスを提供するＲＡＮノードが変更されたと決定し、元のＲＡＮノードにＵＥのコンテキストと既存のユーザープレーン接続をリリースするよう通知するように構成された第２の決定モジュールとを備えることを特徴とするユーザー機器（ＵＥ）とネットワーク状態の間の非マッチングを処理するための装置。
【請求項１２】
前記装置は、アイドル状態で前記ＵＥによって送信された初期非アクセス層メッセージを受信するように構成された受信モジュールをさらに備え、
前記アイドル状態は、前記ＵＥが無線リソース制御（ＲＲＣ）非アクティブ状態からＲＲＣアイドル状態に入った後に、非アクセス層によって入った接続管理アイドル状態であることを特徴とする請求項１１に記載のユーザー機器（ＵＥ）とネットワーク状態の間の非マッチングを処理するための装置。
【請求項１３】
前記受信モジュールは、
前記アイドル状態の前記ＵＥによって送信された登録更新要求メッセージを受信し、または、
前記ＵＥが前記アイドル状態でアップリンクデータを送信するときに、前記ＵＥの要求メッセージを受信することを特徴とする請求項１２に記載のユーザー機器（ＵＥ）とネットワーク状態の間の非マッチングを処理するための装置。
【請求項１４】
前記第１の決定モジュールは、
保存された前記ＵＥの前記コンテキストに従って、前記ＵＥがネットワーク側で接続状態にあると決定することを特徴とする請求項１１に記載のユーザー機器（ＵＥ）とネットワーク状態の間の非マッチングを処理するための装置。
【請求項１５】
前記第２の決定モジュールは、
元のＲＡＮノードに前記ＵＥのコンテキストをリリースするよう通知し、
コアネットワークへのユーザープレーン接続を削除することを特徴とする請求項１１に記載のユーザー機器（ＵＥ）とネットワーク状態の間の非マッチングを処理するための装置。
【請求項１６】
前記第２の決定モジュールはさらに、
元のＲＡＮノードがＲＡＮレベルのページングを停止するように、元のＲＡＮノードに前記ＵＥのコンテキストをリリースするよう通知することを特徴とする請求項１５に記載のユーザー機器（ＵＥ）とネットワーク状態の間の非マッチングを処理するための装置。
【請求項１７】
前記第２の決定モジュールは、
前記非アクセス層メッセージを転送するＲＡＮノードまたはＮ２インターフェースメッセージを送信するＲＡＮノードが前記ＵＥコンテキストに保存されたＲＡＮノードと異なると判断した場合、前記ＵＥにサービスを提供するＲＡＮノードが変更されたと決定することを特徴とする請求項１１に記載のユーザー機器（ＵＥ）とネットワーク状態の間の非マッチングを処理するための装置。
【請求項１８】
前記第２の決定モジュールはさらに、
セッション管理機能（ＳＭＦ）がプロトコールデータユニットセッション（ＰＤＵ ｓｅｓｓｉｏｎ）を非アクティブ化するよう要求し、前記要求は、前記ＳＭＦが前記ＰＤＵセッションのユーザープレーン構成を削除するように、前記ＳＭＦに非アクティブユーザープレーン接続を非アクティブ化するよう要求するために使用されることを特徴とする請求項１１に記載のユーザー機器（ＵＥ）とネットワーク状態の間の非マッチングを処理するための装置。
【請求項１９】
前記ＵＥによって送信された非アクセス層メッセージまたは無線アクセスネットワークＲＡＮノードによって送信されたＮ２インターフェースメッセージを受信した後、前記装置は、第３の決定モジュールをさらに備え、
前記第３の決定モジュールは、前記ＵＥが許可されていないエリアまたは禁止されたエリアに入ると決定し、前記ＵＥに規制優先サービスのみが到達可能であることを、前記ユーザープレーン接続が属するプロトコールデータユニットセッション（ＰＤＵ ｓｅｓｓｉｏｎ）にサービスを提供する要求セッション管理機能（ＳＭＦ）に通知することを特徴とする請求項１１に記載のユーザー機器（ＵＥ）とネットワーク状態の間の非マッチングを処理するための装置。
【請求項２０】
前記ＵＥのサービス要求メッセージが受信された場合、前記装置は、
前記サービス要求メッセージで指定されたプロトコールデータユニットセッション（ＰＤＵ ｓｅｓｓｉｏｎ）に従って、セッション管理機能（ＳＭＦ）に前記ＰＤＵセッションの非アクティブ化を要求し、前記ＰＤＵセッションを再アクティブ化するように構成された要求モジュールをさらに備えることを特徴とする請求項１３に記載のユーザー機器（ＵＥ）とネットワーク状態の間の非マッチングを処理するための装置。
【請求項２１】
プロセッサによって実行されると、請求項１から請求項１０のいずれか一項に記載の方法のステップを実施する、メモリと、プロセッサと、メモリ上に格納され、プロセッサ上で実行可能なコンピュータプログラムとを備えることを特徴とする、コンピュータ装置。
【請求項２２】
プロセッサによって実行されると、請求項１から請求項１０のいずれか一項に記載の方法のステップを実施することを特徴とする、コンピュータプログラムを記憶するコンピュータ可読記憶媒体。
【発明の詳細な説明】
【技術分野】
【０００１】
関連出願の相互参照
本出願は、２０１７年８月１４日に中国特許局に提出し、出願番号が２０１７１０６９３９１４．４であり、発明名称が「ＵＥとネットワーク状態の間の非マッチングを処理するための方法および装置」、および、２０１７年９月２０日に中国特許局に提出し、出願番号が２０１７１０８５５４０３．８であり、発明名称が「ＵＥとネットワーク状態の間の非マッチングを処理するための方法および装置」との中国特許出願を基礎とする優先権を主張し、その開示の総てをここに取り込む。
【０００２】
本発明は、通信技術分野に関し、特にＵＥとネットワーク状態の間の非マッチングを処理するための方法および装置に関する。
【背景技術】
【０００３】
現在、３ＧＰＰ（３ｒｄ Ｇｅｎｅｒａｔｉｏｎ Ｐａｒｔｎｅｒｓｈｉｐ Ｐｒｏｊｅｃｔ，第３世代パートナーシッププロジェクト）は、５Ｇ（Ｔｈｅ Ｆｉｆｉｔｈ Ｇｅｎｅｒａｔｉｏｎ Ｍｏｂｉｌｅ Ｎｅｔｗｏｒｋ，第５世代モバイルネットワーク）ネットワークのアーキテクチャ参照モジュールを決定している。このアーキテクチャのために、３ＧＰＰは新しいＲＲＣ（ｒａｄｉｏ Ｒｅｓｏｕｒｃｅ Ｃｏｎｔｒｏｌ，無線リソース制御）状態、つまりＲＲＣが非アクティブ（ＲＲＣ ｉｎａｃｔｉｖｅ，ＲＲＣが非アクティブな状態）になっている。ＵＥ（Ｕｓｅｒ Ｅｑｕｉｐｍｅｎｔ，ユーザー機器）がこの状態にあるとき、ＲＡＮ（無線アクセスネットワーク）ノードとＵＥ間のＲＲＣ接続はリリースされているが、Ｎｘインターフェイスへの接続は残っている。
【０００４】
ＲＲＣ非アクティブ状態はコアネットワークに対して透過的であると予想されるため、すなわち、コアネットワークは依然としてＵＥが常に接続状態にあると考えているため、ＲＡＮノードは、当該状態にあるＵＥのダウンリンクシグナリングまたはデータを受信する。この時点で、ＲＡＮノードはＵＥをページングする必要がある。つまり、ＲＡＮレベルのページング（ＲＡＮ ｌｅｖｅｌ Ｐａｇｉｎｇ）である。
【０００５】
ＲＡＮレベルのページングをサポートするために、ＲＡＮノードは、ＲＡＮレベルでページングエリアの更新（Ｐａｇｉｎｇ ａｒｅａ ｕｐｄａｔｅ）をサポートする必要がある、すなわち、ＲＡＮノードは、ＲＲＣ非アクティブ状態のＵＥにページングエリア（Ｐａｇｉｎｇ ａｒｅａ）を割り当てる。ＵＥがページングエリアから出ると、ＵＥはページングエリア更新（Ｐａｇｉｎｇ ａｒｅａ ｕｐｄａｔｅ）プロセスを開始する必要があり、ＲＡＮノードはこの時点で新しいページングエリアをＵＥに割り当てる。現在ＵＥにサービスを提供しているＲＡＮアンカーノードがＵＥの移動により変更する場合、ＲＡＮアンカー（ＲＡＮ ａｎｃｈｏｒ）ノード間のコンテキスト（Ｃｏｎｔｅｘｔ）送信を実行し、コアネットワークに対してＮ２インターフェイスへの接続を更新する必要がある（Ｎ２インターフェイスはＲＡＮとＡＭＦとの間のインターフェイスである）。
【０００６】
さらに、ＲＡＮレベルでページングエリアの更新をサポートするために、ＡＭＦ（Ａｃｃｅｓｓ ａｎｄ Ｍｏｂｉｌｉｔｙ Ｍａｎａｇｅｍｅｎｔ Ｆｕｎｃｔｉｏｎ，アクセスおよびモビリティ管理機能）は、補助情報、例えば、登録エリア（ｒｅｇｉｓｔｒａｔｉｏｎ ａｒｅａ）、許可されたＤＲＸ（ａｌｌｏｗｅｄ ＤＲＸ，許可された不連続受信）などを提供する必要がある。ＲＡＮアンカーノードに対して、登録エリアは、ＲＡＮレベルのページングエリアが割り当てられたときに登録エリアの範囲内にあることを保証するために使用される。
【０００７】
さらに、ＡＭＦでは、ＵＥの接続管理状態は、ＣＭ-ＩＤＬＥ（アイドル状態）とＣＭ−ＣＯＮＮＥＣＴＥＤ（接続状態）に分けられる。ＲＡＮとＡＭＦ間のインターフェイス接続がリリースされた後、ＡＭＦはＵＥがＣＭ−ＩＤＬＥ状態になったと見なす。そうでない場合、ＡＭＦはＵＥが常に接続状態にあると見なす。
【発明の概要】
【発明が解決しようとする課題】
【０００８】
具体的には、５Ｇ ＲＡＮがＵＥのＲＲＣ非アクティブ状態をアクティブにした後、ＲＡＮアンカーノードはダウンリンクデータを受信し、ＵＥをページングする。このとき、ＵＥが現在のＲＡＮページングエリアから出て、ＲＲＣの非アクティブ状態をサポートしない１つのＲＡＮノードのカバレッジエリアに入ると、ＵＥはＲＲＣの非アクティブ状態を維持できず、元のＲＡＮアンカーノードのＲＡＮレベルのページングを受信できない。この方法では、元のＲＡＮアンカーノードはＵＥのページング応答を取得せず、ＲＡＮレベルのページングを何度も繰り返した後に失敗する。これにより、ページングのオーバーヘッドが増加し、エアインターフェイスリソースの浪費とパケット損失が発生する。
【０００９】
従来技術には、エアインターフェースリソースの浪費およびパケット損失の技術的問題があることがわかる。
【００１０】
本発明の実施形態は、ＵＥとネットワーク状態の間の非マッチングを処理するための方法および装置を提供し、従来技術におけるエアインターフェースリソース浪費およびパケット損失の技術的問題を解決し、ページングオーバーヘッドおよびパケット損失を低減する。
【課題を解決するための手段】
【００１１】
一態様では、本発明の実施形態は、アクセスおよびモビリティ管理機能（ＡＭＦ）に適用される、ユーザー機器（ＵＥ）とネットワーク状態との間の非マッチングを処理するための方法を提供する。当該方法は、前記ＵＥによって送信された非アクセス層メッセージまたは無線アクセスネットワーク（ＲＡＮ）ノードによって送信されたＮ２インターフェースメッセージを受信するとき、前記ＵＥがネットワーク側で接続状態にあると決定するステップと、前記ＵＥにサービスを提供するＲＡＮノードが変更されたと決定し、元のＲＡＮノードにＵＥのコンテキストと既存のユーザープレーン接続をリリースするよう通知するステップとを備える。
【００１２】
任意選択で、前記ＵＥによって送信された非アクセス層メッセージを受信することは、アイドル状態で前記ＵＥによって送信された初期非アクセス層メッセージを受信することを含み、前記アイドル状態は、前記ＵＥが無線リソース制御（ＲＲＣ）非アクティブ状態からＲＲＣアイドル状態に入った後、非アクセス層によって入った接続管理アイドル状態である。
【００１３】
任意選択で、前記アイドル状態で前記ＵＥによって送信された初期非アクセス層メッセージを受信することは、前記アイドル状態の前記ＵＥによって送信された登録更新要求メッセージを受信し、または、前記ＵＥが前記アイドル状態でアップリンクデータを送信するときに、前記ＵＥの要求メッセージを受信することを含む。
【００１４】
任意選択で、前記ＵＥがネットワーク側で接続状態にあると決定することは、保存された前記ＵＥの前記コンテキストに従って、前記ＵＥがネットワーク側で接続状態にあると決定することである。
【００１５】
任意選択で、前記元のＲＡＮノードに前記ＵＥのコンテキストおよびユーザプレーン接続をリリースするよう通知することは、元のＲＡＮノードに前記ＵＥのコンテキストをリリースするよう通知し、コアネットワークへのユーザープレーン接続を削除する。
【００１６】
任意選択で、前記方法では、元のＲＡＮノードがＲＡＮレベルのページングを停止するように、元のＲＡＮノードに前記ＵＥのコンテキストをリリースするよう通知する。
【００１７】
任意選択で、前記ＵＥにサービスを提供するＲＡＮノードが変更されたと決定する場合、前記非アクセス層メッセージを転送するＲＡＮノードまたはＮ２インターフェースメッセージを送信するＲＡＮノードが前記ＵＥコンテキストに保存されたＲＡＮノードと異なると判断した場合、前記ＵＥにサービスを提供するＲＡＮノードが変更されたと決定する。
【００１８】
任意選択で、前記ＵＥにサービスを提供するＲＡＮノードが変更されたと決定し、前記ＵＥのコンテキストおよびユーザープレーン接続をリリースするよう元のＲＡＮノードに通知する場合、プロトコールデータユニットセッション（ＰＤＵ ｓｅｓｓｉｏｎ）を非アクティブ化するようセッション管理機能（ＳＭＦ）に要求し、前記要求は、前記ＳＭＦが前記ＰＤＵセッションのユーザープレーン構成を削除するように、前記ＳＭＦに非アクティブユーザープレーン接続を非アクティブ化するよう要求するために使用される。
【００１９】
任意選択で、前記ＵＥによって送信された非アクセス層メッセージまたは無線アクセスネットワークＲＡＮノードによって送信されたＮ２インターフェースメッセージを受信した後、前記ＵＥが許可されていないエリアまたは禁止されたエリアに入ると決定し、前記ＵＥに規制優先サービスのみが到達可能であることを、前記ユーザープレーン接続が属するプロトコールデータユニットセッション（ＰＤＵ ｓｅｓｓｉｏｎ）にサービスを提供する要求セッション管理機能（ＳＭＦ）に通知する。
【００２０】
任意選択で、前記ＵＥのサービス要求メッセージが受信された場合、前記方法では、前記サービス要求メッセージで指定されたプロトコールデータユニットセッション（ＰＤＵ ｓｅｓｓｉｏｎ）に従って、セッション管理機能（ＳＭＦ）に前記ＰＤＵセッションの非アクティブ化を要求し、前記ＰＤＵセッションを再アクティブ化する。
【００２１】
別の態様では、本発明の実施形態に係るアクセスおよびモビリティ管理機能（ＡＭＦ）に適用される、ユーザー機器（ＵＥ）とネットワーク状態の間の非マッチングを処理するための装置は、前記ＵＥによって送信された非アクセス層メッセージまたは無線アクセスネットワーク（ＲＡＮ）ノードによって送信されたＮ２インターフェースメッセージを受信するとき、前記ＵＥがネットワーク側で接続状態にあると決定するように構成された第１の決定モジュールと、前記ＵＥにサービスを提供するＲＡＮノードが変更されたと決定し、元のＲＡＮノードにＵＥのコンテキストと既存のユーザープレーン接続をリリースするよう通知するように構成された第２の決定モジュールとを備える。
【００２２】
任意選択で、前記装置は、アイドル状態で前記ＵＥによって送信された初期非アクセス層メッセージを受信するように構成された受信モジュールをさらに備え、前記アイドル状態は、前記ＵＥが無線リソース制御（ＲＲＣ）非アクティブ状態からＲＲＣアイドル状態に入った後、非アクセス層によって入った接続管理アイドル状態である。
【００２３】
任意選択で、前記受信モジュールは、前記アイドル状態の前記ＵＥによって送信された登録更新要求メッセージを受信し、または、前記ＵＥが前記アイドル状態でアップリンクデータを送信するときに、前記ＵＥの要求メッセージを受信する。
【００２４】
任意選択で、前記第１の決定モジュールは、保存された前記ＵＥの前記コンテキストに従って、前記ＵＥがネットワーク側で接続状態にあると決定する。
【００２５】
任意選択で、前記第２の決定モジュールは、元のＲＡＮノードに前記ＵＥのコンテキストをリリースするよう通知し、コアネットワークへのユーザープレーン接続を削除する。
【００２６】
任意選択で、前記第２の決定モジュールはさらに、元のＲＡＮノードがＲＡＮレベルのページングを停止するように、元のＲＡＮノードに前記ＵＥのコンテキストをリリースするよう通知する。
【００２７】
任意選択で、前記第２の決定モジュールは、前記非アクセス層メッセージを転送するＲＡＮノードまたはＮ２インターフェースメッセージを送信するＲＡＮノードが前記ＵＥコンテキストに保存されたＲＡＮノードと異なると判断した場合、前記ＵＥにサービスを提供するＲＡＮノードが変更されたと決定する。
【００２８】
任意選択で、前記第２の決定モジュールはさらに、プロトコールデータユニットセッション（ＰＤＵ ｓｅｓｓｉｏｎ）を非アクティブ化するようセッション管理機能（ＳＭＦ）に要求し、前記要求は、前記ＳＭＦが前記ＰＤＵセッションのユーザープレーン構成を削除するように、前記ＳＭＦに非アクティブユーザープレーン接続を非アクティブ化するよう要求するために使用される。
【００２９】
任意選択で、前記ＵＥによって送信された非アクセス層メッセージまたは無線アクセスネットワークＲＡＮノードによって送信されたＮ２インターフェースメッセージを受信した後、前記装置は、前記ＵＥが許可されていないエリアまたは禁止されたエリアに入ると決定し、前記ＵＥに規制優先サービスのみが到達可能であることを、前記ユーザープレーン接続が属するプロトコールデータユニットセッション（ＰＤＵ ｓｅｓｓｉｏｎ）にサービスを提供する要求セッション管理機能（ＳＭＦ）に通知するように構成された第３の決定モジュールをさらに備える。
【００３０】
任意選択で、前記ＵＥのサービス要求メッセージが受信された場合、前記装置は、前記サービス要求メッセージで指定されたプロトコールデータユニットセッション（ＰＤＵ ｓｅｓｓｉｏｎ）に従って、セッション管理機能（ＳＭＦ）に前記ＰＤＵセッションの非アクティブ化を要求し、前記ＰＤＵセッションを再アクティブ化するように構成された要求モジュールを備える。
【００３１】
別の態様では、本発明の実施形態は、プロセッサによって実行されると、前記ＵＥとネットワーク状態の間の非マッチングを処理するための方法のステップを実施する、メモリと、プロセッサと、メモリ上に格納され、プロセッサ上で実行可能なコンピュータプログラムとを備える、コンピュータ装置を提供する。
【００３２】
別の態様では、本発明の実施形態は、プロセッサによって実行されると、前記ＵＥとネットワーク状態の間の非マッチングを処理するための方法のステップを実施することを特徴とする、コンピュータプログラムを記憶するコンピュータ可読記憶媒体を提供する。
【発明の効果】
【００３３】
本発明の実施形態における１つ以上の上述の技術的解決策は、以下の少なくとも１つ以上の技術的効果を有する。
【００３４】
本発明の実施形態の技術的解決策では、前記ＵＥによって送信された非アクセス層メッセージまたは無線アクセスネットワーク（ＲＡＮ）ノードによって送信されたＮ２インターフェースメッセージを受信するとき、前記ＵＥがネットワーク側で接続状態にあると判断し、前記ＵＥにサービスを提供するＲＡＮノードが変更されたと決定し、元のＲＡＮノードにＵＥのコンテキストと既存のユーザープレーン接続をリリースするよう通知する。つまり、前記ＵＥが現在ＵＥにサービスを提供しているＲＡＮノードのネットワーク状態とマッチングではないと判断された場合、元のＲＡＮノードにＵＥのコンテキストと既存のユーザープレーン接続をリリースするよう通知する。それにより、エアインターフェイスリソース浪費とパケット損失の技術的な問題を解決し、ページングオーバーヘッドおよびパケット損失を低減する。
【図面の簡単な説明】
【００３５】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図１】本発明の第１の実施形態に係るＵＥとネットワーク状態の間の非マッチングを処理するための方法の方法フローチャートである。
【図２】本発明の第１の実施形態に係るＵＥとネットワーク状態の間の非マッチングを処理するための方法のステップＳ１０２で、ＵＥにサービスを提供するＲＡＮノードが変更したと判定するステップのフローチャートである。
【図３】本発明の第１の実施形態に係るＵＥとネットワーク状態の間の非マッチングを処理するための方法のステップＳ１０２で、前記ＵＥのコンテキストおよびユーザープレーン接続をリリースするよう元のＲＡＮノードに通知するステップのフローチャートである。
【図４】本発明の第１の実施形態に係るＵＥとネットワーク状態の間の非マッチングを処理するための方法における第１の場合の初期非アクセス層メッセージを受信するときのプロセスの概略図である。
【図５】本発明の第１の実施形態に係るＵＥとネットワーク状態の間の非マッチングを処理するための方法における第２の場合の初期非アクセス層メッセージを受信するときのプロセスの概略図である。
【図６】本発明の第２の実施形態に係るＵＥとネットワーク状態の間の非マッチングを処理するための装置の構造概略図である。
【図７】本発明の実施形態に係るＵＥとネットワーク状態の間の非マッチングを処理するための装置の概略図である。
【発明を実施するための形態】
【００３６】
本発明の実施形態は、ＵＥとネットワーク状態の間の非マッチングを処理するための方法および装置を提供し、従来技術におけるエアインターフェースリソース浪費およびパケット損失の技術的問題を解決し、ページングオーバーヘッドおよびパケット損失を低減する。
【００３７】
上述の技術的問題を解決するために、本発明の実施形態における技術的解決策の一般的な考え方は以下の通りである。
【００３８】
アクセスおよびモビリティ管理機能（ＡＭＦ）に適用される、ユーザー機器（ＵＥ）とネットワーク状態との間の非マッチングを処理するための方法は、前記ＵＥによって送信された非アクセス層メッセージまたは無線アクセスネットワーク（ＲＡＮ）ノードによって送信されたＮ２インターフェースメッセージを受信するとき、前記ＵＥがネットワーク側で接続状態にあると判断し、前記ＵＥにサービスを提供するＲＡＮノードが変更されたと決定し、元のＲＡＮノードにＵＥのコンテキストと既存のユーザープレーン接続をリリースするよう通知するステップとを備える。
【００３９】
本発明の実施形態の技術的解決策では、前記ＵＥによって送信された非アクセス層メッセージまたは無線アクセスネットワーク（ＲＡＮ）ノードによって送信されたＮ２インターフェースメッセージを受信するとき、前記ＵＥがネットワーク側で接続状態にあると判断し、前記ＵＥにサービスを提供するＲＡＮノードが変更されたと決定し、元のＲＡＮノードにＵＥのコンテキストと既存のユーザープレーン接続をリリースするよう通知する。つまり、前記ＵＥが現在ＵＥにサービスを提供しているＲＡＮノードのネットワーク状態とマッチングではないと判断された場合、元のＲＡＮノードにＵＥのコンテキストと既存のユーザープレーン接続をリリースするよう通知する。それにより、エアインターフェイスリソース浪費とパケット損失の技術的な問題を解決し、ページングオーバーヘッドおよびパケット損失を低減する。
【００４０】
本明細書における「および／または」という用語は、関連付けられたオブジェクトを記述する単なる関連付け関係であり、例えば、Ａおよび／またはＢは、Ａのみ、ＡとＢの両方、およびＢのみである。さらに、本明細書の文字「/」は、一般に、特別な説明なしに、前面および背面の関連オブジェクトの「または」関係を示す。
【００４１】
上述の技術的解決策をよりよく理解するために、本発明の技術的解決策を、図面および特定の実施形態によって以下に詳細に説明するが、本発明の実施形態および実施形態は、実施形態における特定の特徴は、本発明の技術的解決策を詳細に説明することを意図しているが、本発明の技術的解決策を限定するものではなく、本発明の実施形態および実施形態における特定の特徴は、衝突することなく互いに組み合わせることができる。
【００４２】
第１の実施形態
図１を参照すると、本発明の第１の実施形態は、アクセスおよびモビリティ管理機能（ＡＭＦ）に適用される、ユーザー機器（ＵＥ）とネットワーク状態との間の非マッチングを処理するための方法を提供する。当該方法は、以下のステップを備える
【００４３】
Ｓ１０１：前記ＵＥによって送信された非アクセス層メッセージまたは無線アクセスネットワーク（ＲＡＮ）ノードによって送信されたＮ２インターフェースメッセージを受信するとき、前記ＵＥがネットワーク側で接続状態にあると判断する。
【００４４】
Ｓ１０２：前記ＵＥにサービスを提供するＲＡＮノードが変更されたと決定し、元のＲＡＮノードにＵＥのコンテキストと既存のユーザープレーン接続をリリースするよう通知する。
【００４５】
本発明の一実施形態では、ステップＳ１０１〜Ｓ１０２の特定の実施プロセスは以下の通りである。
【００４６】
特定の実施プロセスでは、前記ＡＭＦによって受信され、前記ＵＥによって送信されたアクセス層メッセージは、ｒｅｇｉｓｔｒａｔｉｏｎ ｕｐｄａｔｅメッセージ，Ｓｅｒｖｉｃｅ Ｒｅｑｕｅｓｔ（サービス要求）メッセージなどであり得る。本発明の一実施形態では、前記ＵＥによって送信された非アクセス層メッセージを受信するステップは具体的に、アイドル状態で前記ＵＥによって送信された初期非アクセス層メッセージを受信し、前記アイドル状態は、前記ＵＥが無線リソース制御（ＲＲＣ）非アクティブ状態からＲＲＣアイドル状態に入った後、非アクセス層によって入った接続管理アイドル状態である。たとえば、５Ｇ ＲＡＮがＵＥのＲＲＣ非アクティブ状態をアクティブにした後、ＲＡＮアンカーノードはダウンリンクデータを受信し、ＵＥをページングする。ＵＥが現在のＲＡＮページングエリアから出て、ＲＲＣの非アクティブ状態をサポートしない１つのＲＡＮノードのカバレッジエリアに入る場合、前記ＵＥはＲＲＣの非アクティブ状態にとどまることができず、前記ＵＥは現在の接続管理接続状態から接続管理のアイドル状態へ切り替える。
【００４７】
本発明の一実施形態では、前記初期非アクセス層メッセージは、具体的には、前記登録更新メッセージ（ｒｅｇｉｓｔｒａｔｉｏｎ ｕｐｄａｔｅメッセージ）、サービス要求メッセージ（Ｓｅｒｖｉｃｅ Ｒｅｑｕｅｓｔメッセージ）などであり得る。したがって、特定の実施プロセスでは、アイドル状態で前記ＵＥによって送信された初期非アクセス層メッセージを受信するステップには、次の２つの場合が含まれるが、これらに限定されない。
【００４８】
第１の場合
第１の場合は、前記アイドル状態の前記ＵＥによって送信された登録更新要求メッセージを受信することである。たとえば、前記ＵＥ現在のＲＡＮノードのページングエリアを離れ、ＲＲＣ非アクティブ状態をサポートしないＲＡＮノードのカバレッジエリアに入ると、前記ＵＥは、前記ＡＭＦに登録更新要求メッセージを直接送信する。
【００４９】
第２の場合
第２の場合は、前記ＵＥが前記アイドル状態でアップリンクデータを送信するときに、前記ＵＥの要求メッセージを受信する。たとえば、前記ＵＥ現在のＲＡＮノードのページングエリアを離れ、ＲＲＣ非アクティブをサポートしないＲＡＮノードのカバレッジエリアに入るとき、および前記ＵＥに送信するアップリンクデータがあるとき、前記ＵＥはさらに現在の移動が現在のＲＡＮノードに割り当てられた登録エリアから離れたかどうかを判断する。さらに、依然に登録エリアにおいて移動していると判断する場合、サービス要求（ｓｅｒｖｉｃｅ ｒｅｑｕｅｓｔ）プロセスが開始される。すなわち、前記ＵＥが前記アイドル状態でアップリンクデータを送信すると、前記ＵＥの要求メッセージが受信され、前記要求メッセージはサービス要求メッセージであり得る。
【００５０】
特定の実施プロセスにおいて、前記ＵＥがＲＲＣアイドル状態に入るが、前記ＵＥが現在の登録エリアから出ない場合、前記ＵＥはＲＡＮレベル位置更新プロセスのみを開始し、非アクセス層プロセスを開始しない。前記ＵＥのＲＡＮレベル位置更新要求を受信したＲＡＮノードが、前記ＵＥに対してＲＲＣ非アクティブ状態をアクティブにできないと判断した後、ＲＡＮノードは、コアネットワークのＡＭＦへのＮ２リリースプロセスを開始する。
【００５１】
特定の実施プロセスでは、コアネットワークは前期ＵＥが常に接続状態にあるとみなすため、つまり前記ＵＥがネットワーク側で接続状態にあると判定されると、元のＲＡＮノードがこの状態のＵＥのダウンリンクシグナリングまたはデータを受信した場合、元のＲＡＮノードはこの時点でＵＥをページングする必要がある。特定の実施プロセスでは、前記ＵＥがネットワーク側で接続状態にあると判断されると、前記ＵＥにサービスを提供するＲＡＮノードが変更されたかどうかがさらに判断される。ＵＥにサービスを提供するＲＡＮノードが変更されたと判断されると、ＵＥのコンテキストと既存のユーザープレーン接続をリリースするように元のＲＡＮノードに通知される。ＵＥのコンテキストには、モビリティコンテキストとセッション接続のコンテキストが含まれる。したがって、元のＲＡＮノードはＵＥをページングしないため、ページングのオーバーヘッドが削減される。
【００５２】
本発明の一実施形態では、前記ＵＥにサービスを提供するＲＡＮノードが変更されたと決定するステップでは、前記非アクセス層メッセージを転送するＲＡＮノードまたはＮ２インターフェースメッセージを送信するＲＡＮノードが前記ＵＥコンテキストに保存されたＲＡＮノードと異なると判断した場合、前記ＵＥにサービスを提供するＲＡＮノードが変更されたと決定する。
【００５３】
本発明の一実施形態では、前記ＵＥによって送信された非アクセス層メッセージを受信することにより、前記ＵＥがネットワーク側で接続状態にあると判断する。さらに、前記ＵＥにサービスを提供するＲＡＮノードが変更されたと決定する技術案において、図２を参照すると、ステップＳ１０２において、前記ＵＥにサービスを提供するＲＡＮノードが変更されたと決定することは、さらに以下のステップを備える。
【００５４】
Ｓ２０１：保存された前記ＵＥの前記コンテキストに従って、前記コンテキストに保存された前記ＵＥにサービスを提供するＲＡＮノードを元のＲＡＮノードとして決定する。
【００５５】
Ｓ２０２：前記元のＲＡＮノードおよび前記初期非アクセス層メッセージを転送する現在前記ＵＥにサービスを提供するＲＡＮノードに従って、前記ＵＥにサービスを提供するＲＡＮノードが変更されたと決定する。
【００５６】
ステップＳ２０１〜Ｓ２０２の特定の実施プロセスは、前記非アクセス層メッセージを転送するＲＡＮノードが前記ＵＥコンテキストに保存されたＲＡＮノードと異なると判断されたときに、前記ＵＥにサービスを提供するＲＡＮノードが変更したと判断されることを意味する。
【００５７】
本発明の一実施形態では、ネットワーク側で前記ＵＥが接続状態にあると判断し、ＲＡＮノードによって送信されたＮ２インターフェースメッセージを受信することにより、前記ＵＥにサービスを提供するＲＡＮノードが変更したと判断する技術案において、前記ＵＥにサービスを提供するＲＡＮノードが変更されたと決定するステップの特定の実施プロセスは、Ｎ２インターフェースメッセージを送信するＲＡＮノードが前記ＵＥコンテキストに保存されたＲＡＮノードと異なると判断した場合、前記ＵＥにサービスを提供するＲＡＮノードが変更されたと決定する。
【００５８】
特定の実施プロセスでは、前記ＡＭＦは、現在前記ＵＥにサービスを提供するＲＡＮノードによって送信されたＮ２インターフェースのリリースメッセージを受信した後、現在前記ＵＥが現在ネットワーク側で接続状態にあり、自身に保存されたＵＥコンテキストに記録された前記ＵＥにサービスを提供するＲＡＮノードが現在前記ＵＥにサービスを提供するＲＡＮノードと異なると判断すれば、前記ＡＭＦは、ＵＥのコンテキストと可能なユーザープレーン接続をリリースするように、元のＲＡＮノード、つまりＵＥコンテキストに記録されたＵＥにサービスを提供するＲＡＮノードを要求する。
【００５９】
もちろん、当業者が異なる技術案を設計して、ＵＥにサービスを提供するＲＡＮノードが実際の要求に従って変更したかどうかを決定することも可能であり、ここでは詳細に説明しない。
【００６０】
本発明の一実施形態では、前記ＵＥが現在ネットワーク側で接続状態にあることを判断するステップの特定の実施プロセスは、保存された前記ＵＥの前記コンテキストに従って、前記ＵＥがネットワーク側で接続状態にあると決定する。
【００６１】
本発明の一実施形態では、図３を参照すると、ステップＳ１０２において、前記ＵＥのコンテキストおよびユーザープレーン接続をリリースするよう元のＲＡＮノードに通知することは、さらに以下のステップを備える。
【００６２】
Ｓ３０１：元のＲＡＮノードに前記ＵＥのコンテキストをリリースするよう通知する。
【００６３】
Ｓ３０２：コアネットワークへのユーザープレーン接続を削除する。
【００６４】
ここで、ステップＳ３０１では、元のＲＡＮノードがＲＡＮレベルのページングを停止するように、元のＲＡＮノードに前記ＵＥのコンテキストをリリースするよう通知する，すなわち、前記ＡＭＦは、前記ＵＥへのページングを停止するように、元のＲＡＮノードを制御する。
【００６５】
本発明の一実施形態では、前記ＵＥにサービスを提供するＲＡＮノードが変更されたと決定し、前記ＵＥのコンテキストおよびユーザープレーン接続をリリースするよう元のＲＡＮノードに通知するステップＳ１０２は、具体的に、
【００６６】
前記ＵＥにサービスを提供するＲＡＮノードが変更されたと決定し、前記ＵＥのコンテキストおよびユーザープレーン接続をリリースするよう元のＲＡＮノードに通知するとき、セッション管理機能（ＳＭＦ）がプロトコールデータユニットセッション（ＰＤＵ ｓｅｓｓｉｏｎ）を非アクティブ化するよう要求し、前記要求は、前記ＳＭＦが前記ＰＤＵセッションのユーザープレーン構成を削除するように、前記ＳＭＦに非アクティブユーザープレーン接続を非アクティブ化するよう要求するために使用される。
【００６７】
本発明の一実施形態では、アイドル状態の前記ＵＥによって送信された登録更新要求メッセージが上述の第１の場合で受信されると、前記ＵＥとネットワーク状態の間の非マッチングを処理するための方法の特定の実施プロセスは４図４に示すとおりである。具体的には、前記ＵＥが現在のＲＡＮノードのページング応答エリアを離れ、ＲＲＣ非アクティブをサポートしないＲＡＮノードのカバレッジエリアに入ると、前記ＵＥは前記ＡＭＦに登録更新要求メッセージを送信する。前記ＡＭＦは、前記登録更新要求メッセージを受信した後、前記ＵＥのコンテキストを検索する。前記ＵＥが現在接続状態にあると判断され、前記ＵＥにサービスを提供するＲＡＮアンカーノード古いＲＡＮアンカーノードから新しいＲＡＮノードに変更された場合、このＲＡＮアンカーノードとＡＭＦとの間のＮ２接続をリリースすることを要求するために、前記コンテキストにおいて以前に前記ＵＥにサービスを提供するＲＡＮアンカーノード（すなわち古いＲＡＮアンカーノード）に、Ｎ２接続をリリースする要求メッセージを送信する。
【００６８】
前記ＡＭＦは、以前に前記ＵＥにサービスを提供するＲＡＮアンカーノードから返されたＮ２接続のリリース応答メッセージを受信した後、前記ＳＭＦにユーザープレーン接続を非アクティブ化するように、前記ＳＭＦにＰＤＵセッションを非アクティブ化する要求を送信する。以前に前記ＵＥにサービスを提供するＲＡＮアンカーノードが前記リリースＮ２接続要求メッセージを受信したとき、現在、ＲＡＮレベルのページングが実行されているなら、ＲＡＮレベルのページングを停止し、以前に前記ＵＥにサービスを提供するＲＡＮアンカーノードは、前記ＵＥのコンテキストをリリースする。前記ＳＭＦは、ＰＤＵセッションを非アクティブ化する要求を受信した後、ユーザープレーントンネルを削除するようにＵＰＦ（Ｕｓｅｒ Ｐｌａｎｅ Ｆｕｎｃｔｉｏｎ，ユーザープレーン機能）を構成する。この時点で前記ＵＰＦがデータを送信している場合、前記ＵＰＦはダウンリンクデータをバッファリングし、Ｄｏｗｎｌｉｎｋ ｄａｔａ Ｎｏｔｉｆｉｃａｔｉｏｎ（ダウンリンクデータ更新）プロセスをトリガーする。前記ＡＭＦは、以前に前記ＵＥにサービスを提供するＲＡＮアンカーノードおよび前記ＳＭＦから応答を受信した後、前記ＵＥに登録更新受け入れ（ｒｅｇｉｓｔｒａｔｉｏｎ ｕｐｄａｔｅ Ａｃｃｅｐｔ）メッセージ返する。
【００６９】
前記ＡＭＦが前記ＵＥによって送信された非アクセス層メッセージまたは前記ＲＡＮノードによって送信されたＮ２インターフェースメッセージを受信するとき、前記ＡＭＦは、この時点で前記ＵＥが許可されていないエリアまたは禁止されたエリアに入ったとＡＭＦが判断した場合、前記ＡＭＦは、前記ユーザープレーン接続が存在するＰＤＵセッションに対して、サービス前記ＰＤＵセッションにサービスを提供するＳＭＦに通知する。前記ＵＥは、規制優先サービスのみを受信する。前記許可されていないエリア（ｎｏｎ−ａｌｌｏｗｅｄ ａｒｅａ）および前記禁止されたエリア（ｆｏｒｂｉｄｄｅｎ ａｒｅａ）、前記規制優先サービス（ｒｅｇｕｌａｔｏｒｙ ｐｒｉｏｒｉｔｉｚｅｄ ｓｅｒｖｉｃｅｓ）は、３ＧＰＰ ＴＳ ２３．５０１プロトコルで定義されている用語であり、前記ただし制優先サービスは緊急コールサービスなどである。特定の実施プロセスでは、前記ＡＭＦは、以前に前記ＵＥにサービスを提供するＲＡＮアンカーノードによって削除されたＰＤＵセッションに従って、ユーザープレーン接続のＰＤＵセッションがあると判断する。以前に前記ＵＥにサービスを提供するＲＡＮアンカーノードは、Ｎ２接続のリリース応答メッセージで削除されたＰＤＵセッションを示し、それにより、前記ＵＥの既存のユーザープレーン接続をリリースするように、前記ＡＭＦから以前に前記ＵＥにサービスを提供するＲＡＮアンカーノードに通知することを確保できる。
【００７０】
本発明の一実施形態では、上述の第２の場合、すなわち、前記ＵＥが前記アイドル状態でアップリンクデータを送信し、前記ＡＭＦが前記ＵＥの要求メッセージを受信するとき、前記ＵＥとネットワーク状態の間の非マッチングを処理するための方法の特定の実施プロセスは、図５に示すとおりである。具体的には、前記ＵＥが現在のＲＡＮノードのページング応答エリアを離れ、ＲＲＣ非アクティブをサポートしないＲＡＮノードのカバレッジエリアに入ると、送信する必要があるアップリンクデータがあれば、前記ＵＥは現在のＲＡＮノードに割り当てられた登録エリアから出たかどうかを判断する送信する。エリアから出ていないと判断すれば、サービス要求プロセスが開始され、そうでない場合、アクティブフラグ（ａｃｔｉｖｅ ｆｌａｇ）を運ぶ登録更新プロセスが開始される。
【００７１】
前記アイドル状態で送信したアップリンクデータを送信するときに、前記ＡＭＦが前記ＵＥの要求メッセージを受信した後、を検索する。現在のＵＥが既に接続状態にあり、ＵＥにサービスを提供するＲＡＮノードが変更されたとＡＭＦが判断した場合、前記コンテキスト内の以前に前記ＵＥにサービスを提供するＲＡＮアンカーノード（すなわち、古いＲＡＮアンカーノード）に、Ｎ２接続をリリースする要求メッセージを送信し、当該ＲＡＮアンカーノードと前記ＡＭＦ間のＮ２接続のリリースを要求する。以前に前記ＵＥにサービスを提供するＲＡＮアンカーノードが当該Ｎ２接続のリリース要求メッセージを受信するとき、現在ＲＡＮレベルページングを実行している場合、ＲＡＮレベルのページングを停止し、ＲＡＮアンカーノードは、前記ＵＥのコンテキストをリリースする。同時に、前記ＡＭＦは前記ＳＭＦと前記ＡＭＦ間の接続を削除するというインターフェイスメッセージを前記ＳＭＦに送信し、前記ＳＭＦからＰＤＵセッションのアップリンクトンネル情報を取得する。前記ＳＭＦは、前記ＳＭＦと前記ＡＭＦ間の接続を削除するというインターフェースメッセージを受信した後、ＳＭＦは現在のＰＤＵセッションのセッション接続ユーザープレーンがアクティブ状態にあることを検出し、最初にユーザープレーンを非アクティブ化するよう前記ＵＰＦに要求する。この時点で前記ＵＰＦがデータを送信している場合、前記ＵＰＦは、データを伝送しており、前記ＵＰＦはダウンリンクデータをバッファリングし、ダウンリンクデータ通知（Ｄｏｗｎｌｉｎｋ ｄａｔａ Ｎｏｔｉｆｉｃａｔｉｏｎ）をトリガーする。前記ＳＭＦは、前記ＵＰＦのダウンリンクデータ通知を受信し、このプロセスを中断する。
【００７２】
本発明の一実施形態では、前記ＵＥのサービス要求メッセージが受信された場合、前記方法では、前記サービス要求メッセージで指定されたプロトコールデータユニットセッション（ＰＤＵ ｓｅｓｓｉｏｎ）に従って、前記ＰＤＵセッションを非アクティブ化するようセッション管理機能（Ｓｅｓｓｉｏｎ Ｍａｎａｇｅｍｅｎｔ Ｆｕｎｃｔｉｏｎ，ＳＭＦ）に要求し、前記ＰＤＵセッションを再アクティブ化する。
【００７３】
特定の実施プロセスでは、前記ＵＥとネットワーク状態の間の非マッチングの場合、前記サービス要求メッセージで指定されたＰＤＵセッションに従って、前記ＰＤＵセッションを非アクティブ化するよう前記ＳＭＦに要求する。前記ＵＥにサービスを提供するＲＡＮノードが現在変更されているため、前記ＡＭＦは新しいＲＡＮノードに前記ＵＥのエアインターフェイス接続を確立するよう要求し、当該ＲＡＮノードによって前記ＰＤＵセッションに対して割り当てられたダウンリンクトンネル情報を前記ＳＭＦに転送する。前記ＳＭＦは、ダウンリンクトンネル情報を受信した後、ユーザープレーンを構成し、新しいユーザープレーントンネルを再アクティブ化する。さらに、新しいＲＡＮノードは、前記ＵＥに対してＲＲＣ接続を構成する。
【００７４】
第２の実施形態
図６を参照して、本発明の第１の実施形態と同じ発明思想に基づいて、本発明の第２の実施形態は、ユーザー機器（ＵＥ）とネットワーク状態の間の非マッチングを処理するための装置をさらに提供する。当該装置は、アクセスおよびモビリティ管理機能（ＡＭＦ）に適用され、
【００７５】
前記ＵＥによって送信された非アクセス層メッセージまたは無線アクセスネットワーク（ＲＡＮ）ノードによって送信されたＮ２インターフェースメッセージを受信するとき、前記ＵＥがネットワーク側で接続状態にあると判断するように構成された第１の決定モジュール１０と、
【００７６】
前記ＵＥにサービスを提供するＲＡＮノードが変更されたと決定し、元のＲＡＮノードにＵＥのコンテキストと既存のユーザープレーン接続をリリースするよう通知するように構成された第２の決定モジュール２０とを備える。
【００７７】
本発明の一実施形態では、前記装置は、アイドル状態で前記ＵＥによって送信された初期非アクセス層メッセージを受信するように構成された受信モジュールをさらに備える。前記アイドル状態は、前記ＵＥが無線リソース制御（ＲＲＣ）非アクティブ状態からＲＲＣアイドル状態に入った後、非アクセス層によって入った接続管理アイドル状態である。
【００７８】
本発明の一実施形態では、前記受信モジュールは、前記アイドル状態の前記ＵＥによって送信された登録更新要求メッセージを受信し、または、前記ＵＥが前記アイドル状態でアップリンクデータを送信するときに、前記ＵＥの要求メッセージを受信する。
【００７９】
本発明の一実施形態では、第１の決定モジュール１０は、保存された前記ＵＥの前記コンテキストに従って、前記ＵＥがネットワーク側で接続状態にあると決定する。
【００８０】
本発明の一実施形態では、第２の決定モジュール２０は、保存された前記ＵＥの前記コンテキストに従って、前記コンテキストに保存された前記ＵＥにサービスを提供するＲＡＮノードを元のＲＡＮノードとして決定する。前記元のＲＡＮノードおよび前記初期非アクセス層メッセージを転送する現在前記ＵＥにサービスを提供するＲＡＮノードに従って、前記ＵＥにサービスを提供するＲＡＮノードが変更されたと決定する。
【００８１】
本発明の一実施形態では、第２の決定モジュール２０は、元のＲＡＮノードに前記ＵＥのコンテキストをリリースするよう通知し、コアネットワークへのユーザープレーン接続を削除する。
【００８２】
本発明の一実施形態では、第２の決定モジュール２０はさらに、元のＲＡＮノードがＲＡＮレベルのページングを停止するように、元のＲＡＮノードに前記ＵＥのコンテキストをリリースするよう通知する。
【００８３】
本発明の一実施形態では、第２の決定モジュール２０は、前記非アクセス層メッセージを転送するＲＡＮノードまたはＮ２インターフェースメッセージを送信するＲＡＮノードが前記ＵＥコンテキストに保存されたＲＡＮノードと異なると判断した場合、前記ＵＥにサービスを提供するＲＡＮノードが変更されたと決定する。
【００８４】
本発明の一実施形態では、第２の決定モジュール２０はさらに、プロトコールデータユニットセッション（ＰＤＵ ｓｅｓｓｉｏｎ）を非アクティブ化するようセッション管理機能（ＳＭＦ）に要求し、前記要求は、前記ＳＭＦが前記ＰＤＵセッションのユーザープレーン構成を削除するように、前記ＳＭＦに非アクティブユーザープレーン接続を非アクティブ化するよう要求するために使用される。
【００８５】
本発明の一実施形態では、前記ＵＥによって送信された非アクセス層メッセージまたは無線アクセスネットワークＲＡＮノードによって送信されたＮ２インターフェースメッセージを受信した後、前記装置は、第３の決定モジュールをさらに備える。前記第３の決定モジュールは、前記ＵＥが許可されていないエリアまたは禁止されたエリアに入ると決定し、前記ＵＥが規制優先サービスのみを受信することを、前記ユーザープレーン接続にサービスを提供するプロトコールデータユニットセッション（ＰＤＵ ｓｅｓｓｉｏｎ）に対応するセッション管理機能（ＳＭＦ）に通知する。
【００８６】
本発明の一実施形態では、前記ＵＥのサービス要求メッセージが受信された場合、前記装置は、前記サービス要求メッセージで指定されたプロトコールデータユニットセッション（ＰＤＵ ｓｅｓｓｉｏｎ）に従って、前記ＰＤＵセッションを再アクティブ化するように、前記ＰＤＵセッションを非アクティブ化するようセッション管理機能（ＳＭＦ）に要求する要求モジュールをさらに備える。
【００８７】
本発明の実施形態では、ユーザー機器（ＵＥ）とネットワーク状態の間の非マッチングを処理する装置の動作原理は、上述のユーザー機器（ＵＥ）とネットワーク状態の間の非マッチングを処理するための方法の動作原理と同じである。その詳細な説明はここでは省略する。
【００８８】
図７を参照すると、方法と同じ発明思想に基づいて、本発明は、ユーザー機器（ＵＥ）とネットワーク状態の間の非マッチングを処理するための装置を提供する。当該装置は、プロセッサ３０と、メモリ４０と、外部通信インターフェース５０とを備える。ここで、前記外部通信インターフェース５０は、プロセッサ３０の制御下でデータを送受信するように構成される。
【００８９】
前記プロセッサ３０は、メモリ４０内のプログラムを読み取り、以下のプロセスを実行するように構成される。
【００９０】
外部通信インターフェース５０が前記ＵＥによって送信された非アクセス層メッセージまたは無線アクセスネットワークＲＡＮノードによって送信されたＮ２インターフェースメッセージを受信するときに、前記ＵＥがネットワーク側で接続状態にあると決定し、
【００９１】
前記ＵＥにサービスを提供するＲＡＮノードが変更されたと決定し、元のＲＡＮノードにＵＥのコンテキストと既存のユーザープレーン接続をリリースするよう通知する。
【００９２】
ここで、図７において、バスアーキテクチャは、いずれ数の相互接続するバス及びブリッジを備える。具体的に、プロセッサ３０が代表となる１つまたは複数のプロセッサ及びメモリ４０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。外部通信インターフェース５０は、複数の部品であることができ、伝送媒体を介して他の装置と通信するユニットを提供する。プロセッサ３０は、バズアーキテクチャ及び通常の処理を管理し、メモリ４０は、プロセッサ３０が動作する際に利用するデータを記憶することができる。
【００９３】
本発明の実施形態の別の態様は、コンピュータ装置を提供する。特定の実施プロセスでは、前記コンピュータ装置は、具体的にはネットワーク側装置または端末であり、メモリ、プロセッサ、およびメモリに格納されプロセッサで実行できるコンピュータプログラムを備えることができる。前記プロセッサは、コンピュータプログラムを実行するときに、上記のすべての態様の方法を実施する。
【００９４】
本発明の実施形態の別の態様は、コンピュータプログラムを記憶するコンピュータ可読記憶媒体を提供し、コンピュータプログラムは、プロセッサによって実行されると、上述のすべての態様の方法を実施する。
【００９５】
本発明の実施形態における１つ以上の上述の技術的解決策は、以下の少なくとも１つ以上の技術的効果を有する。
【００９６】
本発明の実施形態の技術的解決策では、前記ＵＥによって送信された非アクセス層メッセージまたは無線アクセスネットワークＲＡＮノードによって送信されたＮ２インターフェースメッセージを受信する場合、前記ＵＥがネットワーク側で接続状態にあると決定し、前記ＵＥにサービスを提供するＲＡＮノードが変更されたと決定し、元のＲＡＮノードにＵＥのコンテキストと既存のユーザープレーン接続をリリースするよう通知する。つまり、前記ＵＥが現在ＵＥにサービスを提供しているＲＡＮノードのネットワーク状態とマッチングではないと判断された場合、元のＲＡＮノードにＵＥのコンテキストと既存のユーザープレーン接続をリリースするよう通知する。それにより、エアインターフェイスリソース浪費とパケット損失の技術的な問題を解決し、ページングオーバーヘッドおよびパケット損失を低減する。
【００９７】
本分野の技術者として、本発明の実施形態が、方法、システムまたはいはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つまたはいは複数のコンピュータプログラム製品の形式を採用できる。また、当該製品はコンピュータ使用可能なプログラムコードを含むコンピュータ使用可能な記憶媒体（ディスク記憶装置と光学記憶装置等を含むがそれとは限らない）において実施する。
【００９８】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、またはいは他のプログラム可能なデータ処理装置設備の処理装置器に提供でき、コンピュータまたはいは他のプログラム可能なデータ処理装置のプロセッサは、これらのコンピュータプログラム指令を実行し、フロー図における一つまたは複数のフローおよび／またはブロック図における一つまたは複数のブロックに指定する機能を実現する。
【００９９】
これらのコンピュータプログラム指令は又、また、コンピュータまたは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つまたは複数のフローおよび／またはブロック図における一つまたは複数のブロックに指定する機能を実現する。
【０１００】
これらコンピュータプログラム指令はさらに、コンピュータまたはいは他のプログラム可能なデータ処理装置設備に実装もできる。コンピュータプログラム指令が実装されたコンピュータまたは他のプログラム可能設備は、一連の操作ステップを実行することによって、関連の処理を実現し、コンピュータまたは他のプログラム可能な設備において実行される指令によって、フロー図における一つまたは複数のフローおよび／またはブロック図における一つまたは複数のブロックに指定する機能を実現する。
【０１０１】
上述した実施形態に記述された技術的な解決手段を改造し、またはその中の一部の技術要素を置換することもできる。そのような、改造と置換は本発明の各実施形態の技術の範囲から逸脱するとは見なされない。
【０１０２】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１０３】
１０  第１の決定モジュール
２０  第２の決定モジュール
３０  プロセッサ
４０  メモリ
５０  外部通信インターフェース
【図１】
2020530731.tif 000003
【図２】
2020530731.tif 000004
【図３】
2020530731.tif 000005
【図４】
2020530731.tif 000006
【図５】
2020530731.tif 000007
【図６】
2020530731.tif 000008
【図７】
2020530731.tif 000009
【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
前記ＵＥによって送信された非アクセス層メッセージまたは無線アクセスネットワークＲＡＮノードによって送信されたＮ２インターフェースメッセージを受信する場合、前記ＵＥがネットワーク側で接続状態にあると決定するステップと、
前記ＵＥにサービスを提供するＲＡＮノードが変更されたと決定し、元のＲＡＮノードにＵＥのコンテキストと既存のユーザープレーン接続をリリースするよう通知するステップとを備えることを特徴とするアクセスおよびモビリティ管理機能（ＡＭＦ）に適用される、ユーザー機器（ＵＥ）とネットワーク状態の間の非マッチングを処理するための方法。
【請求項２】
前記ＵＥによって送信された非アクセス層メッセージを受信する場合は、
アイドル状態で前記ＵＥによって送信された初期非アクセス層メッセージを受信し、前記アイドル状態は、前記ＵＥが無線リソース制御（ＲＲＣ）非アクティブ状態からＲＲＣアイドル状態に入った後に、非アクセス層によって入った接続管理アイドル状態であることを特徴とする請求項１に記載のアクセスおよびモビリティ管理機能（ＡＭＦ）に適用されるユーザー機器（ＵＥ）とネットワーク状態の間の非マッチングを処理するための方法。
【請求項３】
前記アイドル状態で前記ＵＥによって送信された初期非アクセス層メッセージを受信する場合、
前記アイドル状態の前記ＵＥによって送信された登録更新要求メッセージを受信し、または、
前記ＵＥが前記アイドル状態でアップリンクデータを送信するときに、前記ＵＥの要求メッセージを受信することを特徴とする請求項２に記載のアクセスおよびモビリティ管理機能（ＡＭＦ）に適用される、ユーザー機器（ＵＥ）とネットワーク状態の間の非マッチングを処理するための方法。
【請求項４】
前記ＵＥがネットワーク側で接続状態にあると決定する場合、
保存された前記ＵＥの前記コンテキストに従って、前記ＵＥがネットワーク側で接続状態にあると決定することを特徴とする請求項１に記載のアクセスおよびモビリティ管理機能（ＡＭＦ）に適用される、ユーザー機器（ＵＥ）とネットワーク状態の間の非マッチングを処理するための方法。
【請求項５】
前記元のＲＡＮノードに前記ＵＥのコンテキストおよびユーザプレーン接続をリリースするよう通知する場合、
元のＲＡＮノードに前記ＵＥのコンテキストをリリースするよう通知し、
コアネットワークへのユーザープレーン接続を削除することを特徴とする請求項１に記載のアクセスおよびモビリティ管理機能（ＡＭＦ）に適用される、ユーザー機器（ＵＥ）とネットワーク状態の間の非マッチングを処理するための方法。
【請求項６】
元のＲＡＮノードがＲＡＮレベルのページングを停止するように、元のＲＡＮノードに前記ＵＥのコンテキストをリリースするよう通知することを特徴とする請求項５に記載のアクセスおよびモビリティ管理機能（ＡＭＦ）に適用される、ユーザー機器（ＵＥ）とネットワーク状態の間の非マッチングを処理するための方法。
【請求項７】
前記ＵＥにサービスを提供するＲＡＮノードが変更されたと決定することは、
前記非アクセス層メッセージを転送するＲＡＮノードまたはＮ２インターフェースメッセージを送信するＲＡＮノードが前記ＵＥコンテキストに保存されたＲＡＮノードと異なると判断した場合、前記ＵＥにサービスを提供するＲＡＮノードが変更されたと決定することを含むことを特徴とする請求項１に記載のアクセスおよびモビリティ管理機能（ＡＭＦ）に適用される、ユーザー機器（ＵＥ）とネットワーク状態の間の非マッチングを処理するための方法。
【請求項８】
前記ＵＥにサービスを提供するＲＡＮノードが変更されたと決定し、前記ＵＥのコンテキストおよびユーザープレーン接続をリリースするよう元のＲＡＮノードに通知する場合、
セッション管理機能（ＳＭＦ）がプロトコールデータユニットセッション（ＰＤＵ ｓｅｓｓｉｏｎ）を非アクティブ化するよう要求し、前記要求は、前記ＳＭＦが前記ＰＤＵセッションのユーザープレーン構成を削除するように、前記ＳＭＦに非アクティブユーザープレーン接続を非アクティブ化するよう要求するために使用されることを特徴とする請求項１に記載のアクセスおよびモビリティ管理機能（ＡＭＦ）に適用される、ユーザー機器（ＵＥ）とネットワーク状態の間の非マッチングを処理するための方法。
【請求項９】
前記ＵＥによって送信された非アクセス層メッセージまたは無線アクセスネットワークＲＡＮノードによって送信されたＮ２インターフェースメッセージを受信した後、
前記ＵＥが許可されていないエリアまたは禁止されたエリアに入ると決定し、前記ＵＥに規制優先サービスのみが到達可能であることを、前記ユーザープレーン接続が属するプロトコールデータユニットセッション（ＰＤＵ ｓｅｓｓｉｏｎ）にサービスを提供する要求セッション管理機能（ＳＭＦ）に通知することを特徴とする請求項１に記載のアクセスおよびモビリティ管理機能（ＡＭＦ）に適用される、ユーザー機器（ＵＥ）とネットワーク状態の間の非マッチングを処理するための方法。
【請求項１０】
前記ＵＥのサービス要求メッセージが受信された場合、
前記サービス要求メッセージで指定されたプロトコールデータユニットセッション（ＰＤＵ ｓｅｓｓｉｏｎ）に従って、セッション管理機能（ＳＭＦ）に前記ＰＤＵセッションの非アクティブ化を要求し、前記ＰＤＵセッションを再アクティブ化することを特徴とする請求項３に記載のアクセスおよびモビリティ管理機能（ＡＭＦ）に適用される、ユーザー機器（ＵＥ）とネットワーク状態の間の非マッチングを処理するための方法。
【請求項１１】
前記ＵＥによって送信された非アクセス層メッセージまたは無線アクセスネットワークＲＡＮノードによって送信されたＮ２インターフェースメッセージを受信する場合、前記ＵＥがネットワーク側で接続状態にあると決定するように構成された第１の決定モジュールと、
前記ＵＥにサービスを提供するＲＡＮノードが変更されたと決定し、元のＲＡＮノードにＵＥのコンテキストと既存のユーザープレーン接続をリリースするよう通知するように構成された第２の決定モジュールとを備えることを特徴とするユーザー機器（ＵＥ）とネットワーク状態の間の非マッチングを処理するための装置。
【請求項１２】
前記装置は、アイドル状態で前記ＵＥによって送信された初期非アクセス層メッセージを受信するように構成された受信モジュールをさらに備え、
前記アイドル状態は、前記ＵＥが無線リソース制御（ＲＲＣ）非アクティブ状態からＲＲＣアイドル状態に入った後に、非アクセス層によって入った接続管理アイドル状態であることを特徴とする請求項１１に記載のユーザー機器（ＵＥ）とネットワーク状態の間の非マッチングを処理するための装置。
【請求項１３】
前記受信モジュールは、
前記アイドル状態の前記ＵＥによって送信された登録更新要求メッセージを受信し、または、
前記ＵＥが前記アイドル状態でアップリンクデータを送信するときに、前記ＵＥの要求メッセージを受信することを特徴とする請求項１２に記載のユーザー機器（ＵＥ）とネットワーク状態の間の非マッチングを処理するための装置。
【請求項１４】
前記第２の決定モジュールは、
元のＲＡＮノードに前記ＵＥのコンテキストをリリースするよう通知し、
コアネットワークへのユーザープレーン接続を削除することを特徴とする請求項１１に記載のユーザー機器（ＵＥ）とネットワーク状態の間の非マッチングを処理するための装置。
【請求項１５】
プロセッサによって実行されると、請求項１から請求項１０のいずれか一項に記載の方法のステップを実施することを特徴とする、コンピュータプログラムを記憶するコンピュータ可読記憶媒体。
【国際調査報告】
2020530731.tif 000010
2020530731.tif 000011
2020530731.tif 000012
2020530731.tif 000013